(57)【要約】【課題】殺虫剤等の薬剤雰囲気がネット全面に行き渡りやすく、開き口がその雰囲気で覆われることにより害虫の侵入防止が確実となり、また、その装置が脱落することなく安定して装備される虫除け網戸を提供する。【解決手段】左右竪框と上下框とで枠組みされ、その枠組みの中に防虫ネットを張った網戸において、下框の室外側に、防虫マット等の薬剤基材を加熱する防虫気体の発生装置が装備された主ケースと、それから蒸散される防虫気体を下框に沿って横へ送気するために同ケースに接続される排気導管とを固着し、防虫ネット下端部に防虫気体を均等に吹き付け得るように排気導管に複数のノズルが突設されている。【選択図】    図１
2014043756.tif 000002
【特許請求の範囲】
【請求項１】
左右竪框と上下框とで枠組みされ、その枠組みの中に防虫ネットを張った網戸において、下框の室外側に、防虫マット等の薬剤基材を加熱する防虫気体の発生装置が装備された主ケースと、それから蒸散される防虫気体を下框に沿って横へ送気するために同ケースに接続される排気導管とを固着し、防虫ネット下端部に防虫気体を均等に吹き付け得るように排気導管に複数のノズルが突設されていることを特徴とする虫除け網戸。
【請求項２】
防虫気体の発生装置は、主ケースの室内側の内面に面状ヒータを固定し、防虫マットがそれに面して装填されるようになっており、主ケースには、さらに、防虫マットから発散する防虫気体を外気の吸気とともに排気導管に送気するファンを設け、このファンと面状ヒータを起動する電池が主ケースに内装されていることを特徴とする請求項１記載の虫除け網戸。
【請求項３】
面状ヒータとファンとを起動する電池について、主ケースに主スイッチを設けるほか、副スイッチを中桟の室内側に設けたことを特徴とする請求項２記載の網戸における虫除け網戸。
【発明の詳細な説明】
【技術分野】
【０００１】
この発明は、防虫ネットが蚊やハエ等の害虫を通さないばかりでなく、その周囲に殺虫剤や忌避剤等（以下便宜上、殺虫剤を代表例として述べる）の雰囲気がつくられるようにした虫除け網戸に関する。
【背景技術】
【０００２】
網戸は、蚊やハエ等の害虫を通さないようにネットを張ったものであるが、ネットの目より細かな害虫が通って室内環境を害することになる場合がある。また、網戸は、一般的に引違障子の開き口の位置に設置されるため、時として網戸を開くと、これを好機とし害虫が侵入してくることがある。
【０００３】
このような不備を補うために、従来、ネットに殺虫剤を塗布する、防虫シートをネット面に両面テープでとりつける、防虫気体が発散する防虫ボックスを鎖等で吊り下げたり突起で掛けてネット面に保持する等の手段が用いられる。
【先行技術文献】
【特許文献】
【０００４】
【特許文献１】特開２００５−１８０１４８号公報
【特許文献２】特開２０１１−５８１６６号公報
【発明の概要】
【発明が解決しようとする課題】
【０００５】
ネットに殺虫剤をスプレーして塗布すると、しばらくの間ネット面に殺虫剤の雰囲気が形成されるが、短時間で揮発して効果が期待できなくなるので、長時間の持続を望むならば、面倒でもスプレーを反復する必要があり不便であった。
【０００６】
また、ネットに防虫シートを取り付けたり、防虫ボックスを取り付ける場合であると、防虫シートからは薬剤の成分が比較的長く発散し、防虫ボックスでも、マット等から防虫気体が長時間発散し同じく持続性が望めるけれども、取付けが部分的であるため、ネットの全面について虫よけの効果は期待できなかった。
【０００７】
特に、玄関等の出入りの激しい箇所の網戸については、網戸を開けた時の虫の不意な侵入を防止する必要性が特に多いが、ネットに面して防虫ボックス等が存在するだけでは、それよりも下方が手薄となり、隙をうかがうように下方に常時たむろしている害虫には、残念ながら素早い侵入を阻止できなかった。
【０００８】
また、取り付け方について、紐や鎖で防虫ボックスが吊り下げられていたときには、網戸の開閉の際に揺れて不安定となり、また、防虫網に突刺す鈎突起により取り付けられているときには、開閉の衝撃等で防虫ケースが脱落するおそれがあった。
【０００９】
この発明は、上記のような実情に鑑みて、殺虫剤等の薬剤雰囲気がネット全面に行き渡りやすく、開き口がその雰囲気で覆われることにより害虫の侵入防止が確実となり、また、その装置が脱落することなく安定して装備される虫除け網戸を提供することを課題とした。
【課題を解決するための手段】
【００１０】
上記の課題を解決するために、この発明は、左右竪框と上下框とで枠組みされ、その枠組みの中に防虫ネットを張った網戸において、下框の室外側に、防虫マット等の薬剤基材を加熱する防虫気体の発生装置が装備された主ケースと、それから蒸散される防虫気体を下框に沿って横へ送気するために同ケースに接続される排気導管とを固着し、防虫ネット下端部に防虫気体を均等に吹き付け得るように排気導管に複数のノズルが突設されていることを特徴とする虫除け網戸を提供する。
【００１１】
上記の構成によれば、網戸の骨格となる下框が主要な装置を取り付ける対象となるので、脱落するおそれがなく安定性があり、これを起動すると、防虫気体が下に幅広く延長される排気導管のノズルから放出され、ネットの下端から上昇しネットの全面に波及するので、網戸の周囲に害虫が集まることがなくなる。また、網戸を開いても、無風状態のときはその開き口に雰囲気が瞬間的ではあるが残留するため、隙をうかがう害虫がその雰囲気の幕を突破して侵入することはできない。ちなみに、風があると雰囲気はできないが、風時には害虫の飛来はないので問題はない。
【発明の効果】
【００１２】
以上説明したように、この発明による網戸によれば、殺虫剤等の薬剤の気体雰囲気がネット全面に行き渡りやすく、また、近づく害虫がなくなるために、害虫の侵入を確実に防止し快適に網戸による換気を果たし得ることはもちろん、安心して網戸を開閉して出入りすることができる。しかも、薬剤基材を加熱する手法によるため、装置が長時間にわたって機能し、その装置が脱落することもなく安定して機能が発揮されるという優れた効果がある。
【図面の簡単な説明】
【００１３】
【図１】この発明に係る網戸の正面図である。
【図２】同網戸における虫除け装置を断面して示す斜視図である。
【図３】同虫除け装置の要部を横から見た拡大断面図である。
【発明を実施するための形態】
【００１４】
この発明は、網戸の下端部に、防虫気体の発生装置３を設け、防虫気体が上昇によりネット１１の全面に波及するようにしたものである。ここに防虫気体とは、殺虫剤ばかりでなく、虫が嫌がる臭気剤などで、種類や薬効について特に制限するものではない。
【実施例１】
【００１５】
図面は、一実施例を示したもので、一般的な形態を有する網戸Ｐにその下端部において、この発明の要部となる防虫気体の発生装置３が組み込まれている。なお、網戸Ｐは、窓枠Ｆの最外側位置に嵌められ、その室内側位置に障子Ｓ，Ｓが引き違い可能に嵌められている。
【００１６】
網戸Ｐは、アルミ押出形材からなる左右竪框６，６と上下框７，８とで枠組みされたものであって、その中に中桟９を組み合わせてあり、中桟９の上下にネット１１，１１が張設される。そして、下框８に防虫気体発生装置３が装備され、これにより発生する防虫気体がネット１１，１１に沿って全面的に舞い上がるように工夫される。
【００１７】
窓枠Ｆの下枠１３には、網戸レール１５が最も外側に立設され、その内側に引違障子のレール１６が形成される。網戸Ｐの下框８はレール１５を跨ぐ逆チャンネル形であって、その逆チャンネル形の上端に逆Ｌ字形断面のネット取付片２１が形成される。そして、取付片２１には、ネット１１の縁が押縁２４で押さえ込まれている。２０が竪框６を連結するビスポケットである。なお、逆チャンネル形の内部にはレール１５の上を走る戸車２２が内装される。
【００１８】
防虫気体の発生装置３は、矩形の断面に形成される押出形材からなる主ケース２３の上に、同じく押出形材からなる排気導管３５を載置して一体化されてなり、通気口３８による相互接続状態で両方を下框８の外面に両面粘着テープにより接着してあって、主ケース２３の両端はキャップ２４，２４で開放可能に封じられ、排気導管３５の両端が栓３６，３６により封じられる。
【００１９】
防虫気体の発生については、主ケース２３の内部にレール状に仕切３９を設け、室内側に面状ヒータ２５を固着してあって、それと仕切３９との間にマット２７が挿入されようになっている。したがって、マット２７は、取り替え可能であり、また、室外側半部の空間２９にマットからの気体が発散されるようになっている。
【００２０】
この空間２９内の気体の排気については、主ケース２３の前面にカップ状の中空凸部２８を突設し、その中に電動によるファン３０が内装される。中空凸部２８の外面には、多数の通気口３１，３１、・・が開けられているので、ファン３０が作動すると、通気口３１からの吸気とともに防虫気体が通気口３８から排気導管３５に送られ、ノズル３７，３７、・・から放出される。
【００２１】
また、ケース２３の一端部にはヒータ２５およびファン３０を起動する電池３１が装填されており、室外側の主スイッチ３３又は室内側の副スイッチ３４を押して、ヒータ２５とファン３０の起動が操作される。つまり、主スイッチ３３は、上記のように主ケース２３に設けたが、その他に、室内側において中桟９に副スイッチ３４が引違障子Ｓに触れないよう低く設けられる。したがって、防虫気体発生装置３の起動および停止は室内側でも都合よく選択してなすことができる。
【００２２】
そこで、いずれかのスイッチ３３，３４で装置を「ＯＮ」にしておけば、主ケース２３内において、発生した防虫気体は、ファン３０の力で送られてノズル３７，３７、・・から持続的に吹き出し、ネット１１に当たってそれに沿って上昇することにより、ネット１１のほゞ全面に防虫気体が波及するので、ネット１１に近づいた害虫はその影響を受けて駆除され、若しくは逃避するので、網戸の近くには害虫がいなくなり、網戸を開いても開口全面が殺虫雰囲気で一時的にせよ封じられるので、これで、安心して網戸を開閉することができることになる。なお、風があり害虫の飛来が心配ないときには、いずれかのスイッチ３３，３４で装置を「ＯＦＦ」になし、電池を節約することができる。
【符号の説明】
【００２３】
１  網戸
３  防虫気体の発生装置
６  竪框
７  上框
８  下框
１１  ネット
２３  主ケース
２５  面状ヒータ
２７  薬剤基材としての防虫マット
２９  空間
３０  ファン
３１  電池
３３  主スイッチ
３４  副スイッチ
３５  排気導管
３７  ノズル
【図１】
2014043756.tif 000003
【図２】
2014043756.tif 000004
【図３】
2014043756.tif 000005